(57)【要約】【課題】  時刻表データを格納して携帯可能な携帯端末装置において、時刻表データの書き込み要求のための操作を不要にする。【解決手段】  携帯端末装置の利用者は、ネットワーク経由でホストコンピュータにアクセスし、定期券購入操作（操作：Ｐ１）を行い、携帯端末装置からホストコンピュータへ、定期券購入要求信号を送信する（手順：Ｓ１）。ホストコンピュータは、携帯端末装置に対して定期券の利用情報を入力するための入力フォーマット情報を送信する（手順：Ｓ２）。携帯端末装置は、定期券の利用情報をホストコンピュータ１へ送信し（手順Ｓ３）、ホストコンピュータは、受信した利用情報に基づいて、定期券データ及びそれに関連する時刻表データを読み出し、携帯端末装置へ送信する（手順：Ｓ４）。携帯端末装置は、定期券データ及び時刻表データを受信して記憶する。【選択図】  図２
2006277459.tif 000002
【特許請求の範囲】
【請求項１】
交通機関を利用するための乗車券データを記憶し、該乗車券データを更新することで繰り返し使用可能な電子乗車券機能を有する携帯端末装置と、該携帯端末装置へ乗車券データ及び時刻表を表示するためのデータを送信可能な情報処理装置とからなる電子乗車券及び時刻表発行システムであって、
前記情報処理装置は、前記乗車券データのダウンロード要求を検出する手段と、該ダウンロード要求に係る乗車券データ及び該乗車券データに関連する時刻表を表示するためのデータを前記携帯端末装置へ送信する手段とを備え、前記携帯端末装置は、前記乗車券データ及び時刻表を表示するためのデータを受信する手段と、該受信した乗車券データ及び時刻表を表示するためのデータを記憶する手段とを備えたことを特徴とする電子乗車券及び時刻表発行システム。
【請求項２】
交通機関を利用するための乗車券データを記憶し、該乗車券データを更新することで繰り返し使用可能な電子乗車券機能を有する携帯端末装置であって、
前記乗車券データのダウンロード要求を、乗車券データ及び時刻表を表示するためのデータを送信可能な情報処理装置へ送信する手段と、該情報処理装置から送信された乗車券データ及び該乗車券データに関連する時刻表を表示するためのデータを受信する手段と、該受信した乗車券データ及び時刻表を表示するためのデータを記憶する手段とを備えたことを特徴とする携帯端末装置。
【請求項３】
請求項２記載の携帯端末装置において、
前記時刻表を表示するためのデータは改正予定の時刻表データを含むことを特徴とする携帯端末装置。
【請求項４】
電子乗車券機能を有する携帯端末装置へ乗車券データ及び時刻表を表示するためのデータを送信可能な情報処理装置であって、
前記乗車券データのダウンロード要求を検出する手段と、該ダウンロード要求に係る乗車券データ及び該乗車券データに関連する時刻表を表示するためのデータを前記携帯端末装置へ送信する手段とを備えたことを特徴とする情報処理装置。
【発明の詳細な説明】
【技術分野】
【０００１】
本発明は、自動改札機と近距離無線通信を行うことで電子乗車券として機能させることが可能な電子乗車券機能付き携帯端末装置に関し、詳細には乗車券データを利用して時刻表を表示するためのデータをダウンロード可能な電子乗車券及び時刻表発行システムに関する。
【背景技術】
【０００２】
一般に、電車、バス等の時刻表は駅、停留所等に掲示され、又は印刷物として配布される。しかし、時刻表が掲示されている場合は、利用者はその掲示場所に行かなければ電車等の発車時刻を確認できない。予め、時刻表をメモしておけば、そのような問題は生じないが、メモする手間がかかる。時刻表が印刷物として配布される場合は、そのような問題は生じないが、配布されるのは時刻表改正時であり、その配布数量も限られているため、利用者が時刻表を入手できないことがある。
【０００３】
そこで、このような問題を解決するため、非接触型ＩＣカードからなる電子定期券を自動改札機にかざすと共に、時刻表データの書き込み要求操作を行うことにより、自動改札機から電子定期券へ時刻表データを書き込み、電子定期券にて時刻表を表示可能にするシステムが提案されている（特許文献１参照）。
【特許文献１】特開平５−１０８９０２号公報
【発明の開示】
【発明が解決しようとする課題】
【０００４】
しかしながら、特許文献１に開示されたシステムでは、電子定期券に時刻表データの書き込み要求を行うための操作が必要であるため、書き込みに手間がかかる。
【０００５】
本発明は、このような問題点に鑑みてなされたものであり、その目的は、時刻表データを格納して携帯可能な携帯端末装置において、時刻表を表示するためのデータの書き込み操作を不要にすることである。
【課題を解決するための手段】
【０００６】
請求項１に係る発明は、交通機関を利用するための乗車券データを記憶し、該乗車券データを更新することで繰り返し使用可能な電子乗車券機能を有する携帯端末装置と、該携帯端末装置へ乗車券データ及び時刻表を表示するためのデータを送信可能な情報処理装置とからなる電子乗車券及び時刻表発行システムであって、前記情報処理装置は、前記乗車券データのダウンロード要求を検出する手段と、該ダウンロード要求に係る乗車券データ及び該乗車券データに関連する時刻表を表示するためのデータを前記携帯端末装置へ送信する手段とを備え、前記携帯端末装置は、前記乗車券データ及び時刻表を表示するためのデータを受信する手段と、該受信した乗車券データ及び時刻表を表示するためのデータを記憶する手段とを備えたことを特徴とする電子乗車券及び時刻表発行システムである。
請求項２に係る発明は、交通機関を利用するための乗車券データを記憶し、該乗車券データを更新することで繰り返し使用可能な電子乗車券機能を有する携帯端末装置であって、前記乗車券データのダウンロード要求を、乗車券データ及び時刻表を表示するためのデータを送信可能な情報処理装置へ送信する手段と、該情報処理装置から送信された乗車券データ及び該乗車券データに関連する時刻表を表示するためのデータを受信する手段と、該受信した乗車券データ及び時刻表を表示するためのデータを記憶する手段とを備えたことを特徴とする携帯端末装置である。
請求項３に係る発明は、請求項２記載の携帯端末装置において、前記時刻表を表示するためのデータは改正予定の時刻表データを含むことを特徴とする携帯端末装置である。
請求項４に係る発明は、電子乗車券機能を有する携帯端末装置へ乗車券データ及び時刻表を表示するためのデータを送信可能な情報処理装置であって、前記乗車券データのダウンロード要求を検出する手段と、該ダウンロード要求に係る乗車券データ及び該乗車券データに関連する時刻表を表示するためのデータを前記携帯端末装置へ送信する手段とを備えたことを特徴とする情報処理装置である。
【０００７】
（作用）
請求項１に係る発明によれば、情報処理装置は、乗車券データのダウンロード要求を検出したときに、その乗車券データ及びそれに関連する時刻表を表示するためのデータを携帯端末装置へ送信し、携帯端末装置はそれらのデータを受信して記憶する。
請求項２に係る発明によれば、携帯端末装置は、乗車券データのダウンロード要求を情報処理装置へ送信し、情報処理装置から送信された乗車券データ及びそれに関連する時刻表を表示するためのデータを受信して記憶する。
請求項３に係る発明によれば、携帯端末装置は、乗車券データのダウンロード要求を情報処理装置へ送信し、情報処理装置から送信された乗車券データ及びそれに関連する時刻表（改正予定のものを含む）を表示するためのデータを受信して記憶する。
請求項４に係る発明によれば、情報処理装置は、乗車券データのダウンロード要求を検出したときに、その乗車券データ及びそれに関連する時刻表を表示するためのデータを携帯端末装置へ送信する。
【発明の効果】
【０００８】
本発明によれば、乗車券データのダウンロード要求に基づいて乗車券データ及びそれに関連する時刻表を表示するためのデータを携帯端末装置に記憶することにより、時刻表を表示するためのデータの書き込み要求操作を行わずに、そのデータを書き込むことができる。
【発明を実施するための最良の形態】
【０００９】
以下、本発明の実施形態について図面を参照して説明する。
［第１の実施形態］
図１は本発明の第１の実施形態に係る電子乗車券及び時刻表発行システムの全体構成を説明するための図である。まず、このシステムの概要を説明する。この図において、ホストコンピュータ１は普通乗車券、定期乗車券（定期券）、指定券、特急券等の各種乗車券の販売システムを構成するサーバである。電子乗車券機能付き携帯端末装置２は無線通信によりインターネット経由でホストコンピュータ１に対し、各種乗車券等の購入依頼が可能である。また、電子乗車券機能付き携帯端末装置２は、乗車券の購入依頼に応答してホストコンピュータ１から送信された乗車券データをインターネット経由でダウンロードすると、電子乗車券として使用可能である。即ち、電子乗車券機能付き携帯端末装置２を自動改札機３にかざすと、近距離無線通信により自動改札機３との間でデータの授受が行われ、自動改札が行われる。さらに、本実施形態に係るシステムでは、乗車券データのダウンロード時に、その乗車券データに関連する時刻表データを乗車券データと共に電子乗車券機能付き携帯端末装置２にダウンロードするので、電子乗車券機能付き携帯端末装置２のユーザは時刻表データをダウンロードするための操作を行わずに時刻表データをダウンロードできる。
【００１０】
次に、このシステムの詳細について説明する。ホストコンピュータ１は、ＣＰＵ１１と、記憶部１２と、通信部１３とを備えている。記憶部１２は、乗車券データ記憶エリア１２Ａと時刻表データ記憶エリア１２Ｂとを備えている。乗車券データ記憶エリア１２Ａには、各種乗車券に関するデータが格納されている。また、時刻表データ記憶エリア１２Ｂには、各路線、各駅の時刻表データ格納されており、ダイヤ改正の内容及び改正日が予定されている場合は改正予定の時刻表データ及び改正日データも格納されている。
【００１１】
電子乗車券機能付き携帯端末装置２は、無線通信機能を有する携帯端末機能部２Ａと、電子乗車券として動作可能なＩＣチップ機能部２Ｂとからなる。携帯端末機能部２Ａは、ＣＰＵ２１と、それぞれＣＰＵ２１に接続された通信部２２、表示部２３、入力部２４及び記憶部２５から構成されている。
【００１２】
ＣＰＵ２１は、接続されている各部を制御するとともに、必要なデータを取り込んで処理したり、データを出力したりする。また、ＩＣチップ機能部２Ｂ側のインタフェース３２との間でデータの授受を行う。通信部２２はホストコンピュータ１や他の電子機器との通信を行うためのもので、所定周波数帯域の電波を用いる。表示部２３は液晶、発光ダイオード、ＥＬ等の表示素子を具備し、携帯端末機能部２Ａ及びＩＣチップ機能部２Ｂの記憶部に格納されている内容、通信内容等を表示する。入力部２４はキーボード、タッチパネル等任意の入力手段からなり、電話番号、メールアドレス、メッセージ等の入力用である。記憶部２５は電話番号、通信内容等を記憶するためのものである。
【００１３】
ＩＣチップ機能部２Ｂは、ＣＰＵ３１と、それぞれＣＰＵ３１に接続されたインタフェース３２、記憶部３３、通信部３４から構成されている。ＣＰＵ３１はインタフェース３２を通して携帯端末機能部２Ａ側とデータの授受を行って必要なデータ処理を行うとともに、記憶部３３及び通信部３４を制御する。インタフェース３２は携帯端末機能部２Ａ側とのデータの授受を行う。記憶部２３は、それぞれ携帯端末機能部２Ａを通して取り込まれた乗車券データ及び時刻表データを格納するための乗車券データ記憶エリア３３Ａ及び時刻表データ記憶エリア３３Ｂ、並びに予め一定の金額を格納し、その金額内で財布として使える電子財布３３Ｃを備えている。通信部３４は、例えばアンテナコイルを具備しており、自動改札機３から放射される所定範囲内の電磁界を介して自動改札機３と無線通信を行う。
【００１４】
以上の構成において、自動改札機３から放射される所定範囲内の電磁界領域に携帯端末装置２をかざすと、自動改札機３と携帯端末装置２とは無線通信可能となり、自動改札機３からデータ読み出し命令がＩＣチップ機能部２Ｂ側に送られ、ＩＣチップ機能部２Ｂ側では乗車券データ記憶エリア３３Ａに格納されている乗車券データを読み出し、そのデータにより自動改札機３からの電波を変調して送り返し、自動改札機３では送り返されたデータから電子乗車券が有効か否かを判断して改札機の扉の開閉を制御する。有効であった場合にはさらに書き込みデータをＩＣチップ機能部２Ｂ側へ送り、これを受信するとＣＰＵ３１は、記憶部３３に対して、入出場があったことを示すフラグを立てる等の書き込み処理を行う。なお、普通乗車券で出場する際に料金不足の場合は電子財布３３Ｃからその分を補充するようにしてもよい。
【００１５】
乗車券データ記憶エリア３３Ａに格納されている乗車券データの内容はＣＰＵ３１で読み出し、インタフェース３２を通して携帯端末機能部２Ａ側へ送り、表示部２３で表示して確認できる。同様に、時刻表データ記憶エリア３３Ｂに格納されている時刻表データも表示部２３で表示することにより見ることができる。
【００１６】
乗車券データを確認した結果、乗車券データがない（例えば定期券の有効期限が切れている）場合には、ホストコンピュータ１にアクセスして、乗車券データをダウンロードすることにより、再び電子乗車券として機能させることができる。このとき、時刻表データも同時にダウンロードする。以下、このダウンロード処理について図２のシーケンス図を用いて説明する。
【００１７】
携帯端末装置２の利用者は、まず入力部２４からインターネット経由でホストコンピュータ１にアクセスし、定期券購入要求操作を入力する（操作：Ｐ１）と、携帯端末装置２からホストコンピュータ１へ定期券購入要求信号を送信する（手順：Ｓ１）。ホストコンピュータ１は、定期券購入要求信号を受信すると、携帯端末装置２に対して定期券データを構成する各種利用情報（利用区間、利用開始日、有効期間等）を入力するための入力フォーマット情報を記憶部１２から読み出し、携帯端末装置２へ送信する（手順：Ｓ２）。携帯端末装置２では、入力フォーマット情報を受信して表示部２３に表示し、利用者が定期券データと共に預金口座或いはクレジットカード番号及び暗証番号を入力すると（操作：Ｐ２）、携帯端末装置２からホストコンピュータ１へそれらの情報が送信される（手順Ｓ３）。ホストコンピュータ１は、携帯端末装置２から受信した情報に基づいて、金融機関やクレジット会社に開設されている利用者の口座に照会をかけ、認証及び残高確認等を行った後に、記憶部１２から定期券データ及びそれに関連する時刻表データ（乗降駅、乗換駅、経由駅の時刻表データ）を読み出し、携帯端末装置２へ送信する（手順：Ｓ４）。携帯端末装置２では、定期券データ及び時刻表データを記憶部３３に記憶する。このとき、携帯端末装置２の表示部２３には、定期券データ及び時刻表データがダウンロードされたことが表示される。利用者が時刻表データの表示操作を行うと（操作：Ｐ３）、時刻表データが記憶部３３から読み出され、表示部２３に表示される。
【００１８】
ここで、ホストコンピュータ１は、定期券データ及び時刻表データの送信時に、ダイヤ改正の内容（改正予定日及び改正内容）が決まっている場合は、データ送信時現在使用されている時刻表データと共に携帯端末装置２へ送信し、携帯端末装置２では双方の時刻表データ及びダイヤ改正予定日データを記憶部３３に格納する。この場合、入力部２４から表示操作（操作：Ｐ３）が行われたときに、ＣＰＵ２１は携帯端末機能部２Ａが内蔵する時計部（図示せず）から現在日時データを読み込むと共に記憶部２３からダイヤ改正予定日データを読み込み、改正前であれば、記憶部３３から改正前の時刻表データを読み出して表示部２３に表示する。また、改正後であれば、改正後の時刻表データを読み出して表示する。改正前の時刻表データについては、改正後の最初の表示操作時又は改正日当日に記憶部３３から消去しても良い。
【００１９】
このように、本発明の第１の実施形態によれば、定期券購入時に定期券データと共に時刻表データをダウンロードするので、時刻表データをダウンロードするための操作が不要である。また、ダイヤ改正が予定されている場合は、改正予定の時刻表データも併せてダウンロードし、改正予定日前は改正前の時刻表データを表示し、改正予定日以後は改正後の時刻表データを自動的に表示するので、ダウンロードした定期券データの有効期間内にダイヤ改正があったとしても、有効な時刻表データを表示できる。なお、本実施形態では、時刻表データそのものをダウンロードしたが、時刻表データそのものではなく、時刻表データが格納されている場所のアドレス（ホストコンピュータ１の時刻表データ記憶エリア１２Ｂにおいて乗車券データに関連する駅の時刻表データが格納されている領域のアドレス、インターネット上の時刻表データ提供サービスにおいて、乗車券データに関連する駅の時刻表データが格納されているページのＵＲＬ等）をダウンロードして記憶しておき、時刻表を表示するときに、そのアドレスにアクセスすることで、所望の時刻表を表示するように構成してもよい。本明細書における時刻表を表示するためのデータとは、このようなアドレスを含む。
【００２０】
［第２の実施形態］
本発明の第２の実施形態のシステム全体の構成は第１の実施形態（図１）と同様であり、定期券データをインターネット経由ではなく、駅の窓口のコンピュータからダウンロードする点が異なる。以下、図３のシーケンス図を用いて説明する。この図において、携帯端末装置は図１に示す携帯端末装置２と同様の構成を有しており、図３における窓口コンピュータと携帯端末機能部２Ａの通信部２２又はＩＣチップ機能部２Ｂの通信部３４により、無線通信でデータの授受が可能である。また、図３におけるホストコンピュータは図１におけるホストコンピュータ１と同様の構成を有しており、窓口コンピュータと専用線（図示せず）を介してデータの送受が可能である。さらに、窓口コンピュータは、入力部、表示部、記憶部及び通信部を備えており、携帯端末装置及びホストコンピュータとデータの授受が可能であり、かつ予めホストコンピュータ１の乗車券データ記憶エリア１２Ａ及び時刻表データ記憶エリア１２Ｂの記憶内容が格納されている。
【００２１】
利用者は窓口コンピュータの入力部（図示せず）を用いて、図２における操作Ｐ２と同様な定期券購入操作を実行する（操作：Ｐ１１）。窓口コンピュータは、定期券購入操作により入力された情報をホストコンピュータへ送信する。ホストコンピュータは、窓口コンピュータから受信した情報に基づいて認証及び残高確認等を行い、その結果を窓口コンピュータへ通知する。窓口コンピュータは認証結果を受信すると、記憶部から定期券データ及びそれに関連する時刻表データを読み出し、携帯端末装置２へ送信する（手順：Ｓ１１）。携帯端末装置２では、定期券データ及び時刻表データを受信して記憶部３３に記憶する。利用者が時刻表データの表示操作を行うと（操作：Ｐ１２と、時刻表データが表示部２３に表示される。
【００２２】
なお、以上の説明では、予めホストコンピュータ１の乗車券データ記憶エリア１２Ａ及び時刻表データ記憶エリア１２Ｂの記憶内容を窓口コンピュータに格納しているが、ホストコンピュータ１から窓口コンピュータへ認証結果を通知するときに、乗車券データ及び関連する時刻表データを送信するように構成しても良い。また、窓口コンピュータの操作を利用者の代わりに駅員が行っても良い。
【００２３】
［第３の実施形態］
本発明の第３の実施形態において、システム全体の構成は第１の実施形態と同様であり、定期券データを窓口コンピュータからダウンロードする点は第２の実施形態と同じである。第３の実施形態の特徴は、窓口コンピュータからダウンロードするときに携帯端末装置からダウンロード要求を送信することである。以下、図４のシーケンス図を用いて説明する。この図において、携帯端末装置２は、窓口コンピュータから定期券データを受信したときに、時刻表データのダウンロード要求を送信するように予め設定されている。
【００２４】
図４において、定期券購入操作（操作：Ｐ２１）は図３における定期券購入操作（操作：Ｐ１１）と同じである。また、窓口コンピュータが、定期券購入操作により入力された情報をホストコンピュータ１へ送信し、ホストコンピュータ１が、認証及び残高確認等を行い、その結果を窓口コンピュータへ通知することも第２の実施形態と同じである。本実施形態では、窓口コンピュータは認証結果を受信すると、記憶部から定期券データを読み出し、携帯端末装置２へ送信する（手順：Ｓ２１）。携帯端末装置２では、定期券データを受信して記憶部３３に記憶し、時刻表データのダウンロード要求を窓口コンピュータへ送信する（手順：Ｓ２２）。窓口コンピュータは、時刻表データのダウンロード要求を受信すると、記憶部から時刻表データを読み出し、携帯端末装置２へ送信する（手順：Ｓ２３）。携帯端末装置２では、時刻表データを受信して記憶部３３に記憶する。利用者が時刻表データの表示操作を行う（操作：Ｐ２２）と、時刻表データが表示部２３に表示される。
【００２５】
なお、以上の各実施形態は、定期券データのダウンロードに連動させて時刻表データをダウンロードするものであるが、普通乗車券データのダウンロードに連動させて時刻表データをダウンロードするように構成することもできる。また、ホストコンピュータ１又はそれに接続された窓口コンピュータからダウンロードするのではなく、スタンドアローン型の乗車券販売機からダウンロードするように構成しても良い。
【図面の簡単な説明】
【００２６】
【図１】本発明の第１の実施形態に係る電子乗車券及び時刻表発行システムの全体構成を説明するための図である。
【図２】本発明の第１の実施形態に係る時刻表データのダウンロード処理を示す図である。
【図３】本発明の第２の実施形態に係る時刻表データのダウンロード処理を示す図である。
【図４】本発明の第３の実施形態に係る時刻表データのダウンロード処理を示す図である。
【符号の説明】
【００２７】
１・・・ホストコンピュータ、２・・・携帯端末装置、１１，２１，３１・・・ＣＰＵ、１２，２５，３３・・・記憶部、１２Ａ，３３Ａ・・・乗車券データ記憶エリア、１２Ｂ，３３Ｂ・・・時刻表データ記憶エリア、１３，２２，３４・・・通信部。
【図１】
2006277459.tif 000003
【図２】
2006277459.tif 000004
【図３】
2006277459.tif 000005
【図４】
2006277459.tif 000006